(57)【要約】      （修正有）【課題】スケルトン時計において、ムーブメント部の潤滑油による被膜の酸化や文字盤からの被膜の剥離を防止し、さらに美観を高めたスケルトン時計を提供する。【解決手段】表カバー３２、文字盤４０、ムーブメント３８および裏カバー３６の順に重ねられたスケルトン時計３０であって、文字盤および／または裏カバーの、ムーブメントと対向した面上の全面または一部に漆塗りが施されており、漆塗りの少なくとも一部が表カバーおよび／または裏カバーを介して視認できるよう構成されたことを特徴とする。【選択図】図１
0003192775.tif 000002
【実用新案登録請求の範囲】
【請求項１】
表カバー、文字盤、ムーブメントおよび裏カバーの順に重ねられたスケルトン時計であって、文字盤および／または裏カバーの、ムーブメントと対向した面上の全面または一部に漆塗りが施されており、当該漆塗りの少なくとも一部が表カバーおよび／または裏カバーを介して視認できるよう構成された、懐中時計であるスケルトン時計。
【考案の詳細な説明】
【技術分野】
【０００１】
本考案は、スケルトン時計に関する。
【背景技術】
【０００２】
時計の分野では、狭い面積の制約の中様々なデザインが施されている。その中で、内部機構（ムーブメント）を積極的に美観として呈するスケルトン時計が知られている。従来のスケルトン時計としては、文字盤（表示板）の表側面のみに装飾を施すものが一般的であった。ムーブメントやムーブメント上の装飾を見せるための透過面積が必要なこともあり、デザインの自由度は必ずしも高くなかった。
【考案の概要】
【考案が解決しようとする課題】
【０００３】
従来はスケルトン時計においてはムーブメントを美観よく見せることが主眼に置かれていたことから、文字盤の表側面にしか装飾が施されていなかった。また従来では、文字盤の裏側面とムーブメントは完全に接触して組立てられており、構造上、文字盤の裏側面は目に触れることもなく、装飾されることはなかった。特に、表側だけではなく裏側も通常使用において使用者の目に触れる時計（例えば、懐中時計など）においては、美観が必ずしも十分ではなかった。ここで、文字盤の裏側面に模様を施す場合、ムーブメントの潤滑油により模様を構成する被膜が酸化してしまい、変色したり文字盤から剥離したりするという問題がある。また、時計を組立てる際に、文字盤の裏側面とムーブメントの接触は完全に回避できず、ムーブメントの表面に突出した部品の一部が文字盤の裏側面の装飾を傷つけ乖離させる可能性も高い。そのため、ペイント、コーティング、エナメルなど従来の装飾の技法では危険性が高かった。さらには、模様を構成する被膜が何らかの原因で剥離した場合、ムーブメントの作動にも悪影響を与えてしまうという問題がある。特に、防水性能がそれほど高くない時計に関しては、時計内部に水分が侵入した際、当該水分のために文字盤裏面において模様の被膜が剥離することが懸念され、さらに、夏場のような高温下に配された際、さらには太陽光や紫外線を浴びた際に、模様の被膜の剥離や変色が懸念される。
【課題を解決するための手段】
【０００４】
本考案者は、鋭意研究の結果、スケルトン時計での文字盤の裏側面に付される模様の素材として漆に着目することにより、上記課題を解決することを見出し、本考案を完成させた。
【０００５】
本考案は、表カバー、文字盤、ムーブメントおよび裏カバーの順に重ねられたスケルトン時計であって、文字盤および／または裏カバーの、ムーブメントと対向した面上の全面または一部に漆塗りが施されており、当該漆塗りの少なくとも一部が表カバーおよび／または裏カバーを介して視認できるよう構成されたスケルトン時計に関する。ここで、時計の種類は特に限定されず、懐中時計、腕時計、置時計、柱時計、掛時計などが挙げられるが、ムーブメントに対向する漆塗りを常時または容易に視認できる目的から、懐中時計が好ましい。漆塗りは、単色からなるベタ塗りでもよいが、装飾性および美観の観点からは、複数の色や漆技法からなる何らかのモチーフの模様が好適である。
【０００６】
本考案において、「スケルトン時計」とは、時計の内部機構であるムーブメントが外部から視認できるよう構成された時計をいう。また、本考案において、「漆塗り・・・が・・・外部から視認」の態様として、例えば、（１）前面から見たとき、文字盤の向こう側が視認できない態様（この態様の場合、裏カバーは向こう側が視認できる材質であり、ムーブメントと対向した、文字盤の裏面及び／又は裏カバーの表面に漆塗りが施されている）、（２）前面から見たとき、文字盤の向こう側が視認できる態様（この態様の場合、裏カバーは向こう側が視認できる材質でも視認できない材質でもよく、前者の場合には、ムーブメントと対向した、文字盤の裏面及び／裏カバーの表面に漆塗りが施されており、後者の場合には、ムーブメントと対向した、裏カバーの表面に漆塗りが施されている）を挙げることができる。
【考案の効果】
【０００７】
本考案によれば、文字盤の裏側面に施される素材として、一旦乾燥すると接着力が強く、防水性や耐熱性が高く、薬品にも侵されず、かつ機械に使用されている潤滑油によっても酸化されない素材である漆を用いることにより、ムーブメント部の潤滑油による被膜（漆塗りを構成する被膜）の酸化や文字盤からの当該被膜の剥離を防止できる結果、変色による美観の喪失やムーブメント部の作動への悪影響を防止できるという効果を奏する。特に、本考案によれば、防水性能がそれほど高くない時計に関しても、時計内部に水分が侵入した際、当該水分のために文字盤の裏側面において模様を構成する被膜が剥離することや、さらに夏場のような高温下に配された際や紫外線を浴びた際、文字盤の裏側面において当該被膜の剥離や模様の変色を有効に防止できるという効果を奏する。加えて、本考案によれば、従来施されていた文字盤の表側面だけではなく裏側面にも装飾を加えることができることに加え、合成塗料などでは味わうことができない「漆塗り」独特の蝋のような肌触りや艶を供することができるため、美観を高めることができるという効果をも奏する。なお、漆技法においては、経年変化などの風合いの変化は漆装飾の芸術を楽しむための要素でもあり、かかる変化を想定して構図やデザインを施すことができる。また、漆は硬度が高いことから、多少の物理的刺激に対しては抵抗力がある。
【図面の簡単な説明】
【０００８】
【図１】本考案の一形態である懐中時計の正面図である。
【図２】図１の形態の分解図である。
【図３】本考案の一形態に係る正面写真である。
【図４】図３の形態の背面写真である。  なお、写真以外の図は簡略化されているので、実際の縮尺とは異なることがある。
【考案を実施するための形態】
【０００９】
＜全体構成＞
本形態のスケルトン時計は、時計の外郭体の一部を成す表カバー、時計の外郭体の一部を成すケース、文字盤、ムーブメントおよび時計の外郭体の一部を成す裏カバーの順に重ねられている。すなわち、表カバーおよび裏カバーを少なくとも含む外郭体内に、文字盤およびムーブメントが内包されている。ここで、時計の外郭体は、表カバーおよび裏カバーから構成されていても（例えば、表カバーおよび裏カバーの一方が文字盤やムーブメントのケースとして機能し、他方が蓋部材として機能する、といった態様）、あるいは、表カバーおよび裏カバーの他、これらと共働して外郭体を成す他の部材（例えば、表カバーおよび裏カバーを離隔した状態で固定保持するための側面カバー）から構成されていてもよい。なお、これらは時計を構成するための基本要素であり、時計を構成する他の周知要素（リューズ、ネジ、バンド、ストラップ、スタンド、振り子をはじめとする各種要素の固定部材など）を有していてもよい。
【００１０】
以下、添付した図面に基づいて、本考案の時計の一形態としてスケルトン懐中時計を例に採って説明するが、本考案はこれによって限定されるものではない。
【００１１】
図１は、本形態のスケルトン時計の一形態である懐中時計における正面図を表す。図１において、本形態のスケルトン懐中時計３０は、文字盤４０やムーブメント３８、ムーブメント３８の指針軸に取付けられた時針や分針を示す指針３４、これらを覆った表カバー３２や裏カバー３６、ケース３１の側面に取付けたリューズ３５などから構成されている。文字盤４０にはリング状の時字表示部４２が含まれる。本形態において、文字盤４０には漆模様（漆塗りにより形成された塗膜）４４が表側面および裏側面の両方に施されている。漆模様は漆系塗料を用いることによって施すことができる。そして、本形態で用いるムーブメント３８は隙間が形成されるような部品が用いられているため、ムーブメントの隙間を通して向こう側（例えば、裏カバーが透明である場合には文字盤４０の裏面の一部）が視認できる。図２（ａ）は図１の形態の分解斜視図である。図２（ａ）に示すように、表カバー３２、リューズが側面に取り付けられたケース３１、文字盤４０、ムーブメント３８（詳細は図示せず）、裏カバー３６の順に重ねられている。文字盤４０の表側面に漆模様４４が施されている。図２（ｂ）は図２（ａ）の文字盤４０のＢ矢視を表す。図２（ｂ）に示すように、文字盤４０の裏側面に漆模様４５が施されている。図２（ｃ）は文字盤のｃ−ｃ断面図を表す。図２（ｃ）に示すように、文字盤の表裏に漆模様４４および４５が施されている。図１の形態では文字盤４０が透明部材であり、表カバー３２側から文字盤４０の反対側にあるムーブメントが視認できるが、文字盤が不透明部材であってもよく、文字盤の全面に漆模様が施されていてもよく、かかる場合には表カバー側からムーブメントが視認されない。
【００１２】
（各要素）
以下、本形態のスケルトン時計の各要素について述べる。
＜文字盤＞
本形態のスケルトン時計に用いられる文字盤の基材は特に限定されないが、例えば、金属（金、銀、スズ、チタン、真鍮、またはそれらを含む合金など）、プラスチック、ガラスなどの略平面かつ安定な素材が挙げられる。文字盤の基材は、向こう側が透けて見える透明（有色透明を含む）または半透明なものでも、あるいは、向こう側が透けて見えない不透明なものでもよい。
【００１３】
＜文字盤の漆塗り＞
本形態のスケルトン時計に用いられる文字盤には、漆塗りが施される。漆塗りは文字盤の全面に施されていてもよいし、文字盤の一部に施されていてもよい。漆塗りは文字盤の裏側面に施されているのが好ましく、より好ましくは文字盤の裏側面と表側面の両者に施されている。漆塗りを施す文字盤の箇所には、漆が定着しやすいように、漆塗りを行う前にサンドペーパーややすりなどを用いて粗面化処理を行っていることが好ましい。一形態において、漆塗りは、リング状の時字表示部に囲まれた中心部に施される。それに代わり、またはそれに加えて、漆塗りはリング状の時字表示部に施される。なお、時字、ブランド名、機種番号など、漆模様以外の情報が付されていてもよい。
【００１４】
前記漆塗りは、漆系塗料（漆を含有する塗料）によって行うことができる。「漆」とは、一般的な意義での漆と同義であり、典型的な漆組成物は、ウルシ（Ｒｈｕｓ ｖｅｒｎｉｃｉｆｌｕａ）の樹液から得られる油中水球型エマルションであり、ウルシオール（油成分）、多糖質（ゴム質）、含窒素物（糖蛋白）、ラッカーゼ酵素および水で構成されている。漆は、ラッカーゼ酵素で酸化重合が進む特異な高分子塗料である。そのため漆液の乾燥硬化には高湿度環境が好ましく、ラッカーゼ酵素の作用でゆっくり酸化重合が進み、塗膜ができる。漆塗膜の特徴としては、独特の光沢、美しさ、深み感、ふっくらした感じ、しっとりした質感と堅牢さなどが挙げられる。このように、「漆塗り」独特の蝋のような肌触りや艶は、合成塗料などでは味わうことができない。さらに、漆の物理的・化学的性質は、一旦乾燥すると接着力が強く、また防水性や耐熱性が高く、薬品にも侵されず、さらにはムーブメントに使用されている潤滑油にも変化されることがないという特徴を有する。漆塗りは、単色模様であってもよく、また複数の色や漆技法を組み合わせた模様であってもよい。なお、漆塗りと併せて、他の塗料を文字盤に適用してもよい。
【００１５】
＜表カバー＞
本形態のスケルトン時計に用いられる表カバーは、向こう側が透けて見える透明（有色透明を含む）または半透明である。表カバーに用いられる素材としては、特に限定されないが、ガラス素材や、ポリカーボネート、ポリエチレンテレフタラート（ＰＥＴ）などの樹脂などが挙げられる。表カバーが前記性質を有することから、表カバーの外側から時計内部の構造（特に文字盤部分）を視認できる。また、表カバーの裏面（文字盤と対向する面）に漆塗りが施されていてもよい。表カバーは、さらに必要に応じて外蓋を有していてもよい。
【００１６】
＜裏カバー＞
本形態のスケルトン時計に用いられる裏カバーは、向こう側が透けて見える透明（有色透明を含む）または半透明である素材が好ましい。裏カバーに用いられる素材としては、特に限定されないが、ガラス素材や、ポリカーボネート、ポリエチレンテレフタラート（ＰＥＴ）などの樹脂などが挙げられる。裏カバーが前記性質を有する場合には、裏カバーの外側からでも時計のムーブメントを視認できる。また、裏カバーが前記性質を有する場合には、裏カバーの内側面（すなわち、ムーブメントに対向する面）に漆塗りが施されていてもよい。漆はムーブメントの潤滑油などによる化学変化に強い。裏カバーが透明または半透明である場合には、裏カバーの内側に施された漆塗りが裏カバーの外部より視認できる。裏カバーは、さらに必要に応じて外蓋を有していてもよい。
【００１７】
＜ムーブメント＞
本形態のスケルトン時計に用いられるムーブメントは特に限定されないが、クォーツ式（電池式）、機械式などが挙げられる。ムーブメントの可視認面積を広げる目的で、電池を使用しない機械式のムーブメントがより好ましい。
【００１８】
（各構造要素間の関係）
＜表カバーと裏カバーの関係＞
本形態のスケルトン時計では、表カバーおよび裏カバーはケースを介して結合されているか、または表カバーと裏カバーが直接結合されている（表カバーまたは裏カバーがケースの役割も果たしている）。表カバーの外側から文字盤の表側面に付された漆模様が視認できることはいうまでもなく、裏カバーの外側から裏カバーのムーブメントに対向した漆模様や、文字盤の裏側面に付された漆模様が視認できる。また、表カバーおよび裏カバーが透明であり、さらに文字盤が透明である場合には、時計の外部から反対側（表側から見た裏側）が透けて見えることが好ましい。
【００１９】
＜表カバーと文字盤の関係＞
本形態のスケルトン時計では、文字盤は、表カバーとの間に、指針以外には実質的に遮蔽する部材を介在せず、時計内部に設置されている。文字盤の表側面に漆塗りが施されている場合には、表カバーの外側から文字盤の表側に施された漆模様のすべてまたは一部が視認できる。さらに、文字盤が透明または半透明である場合には、表カバーの外側から文字盤の裏側に施された漆模様のすべてまたは一部が視認できる。漆塗りが施された文字盤の表側面には同時に時計の指針が付されていることから、指針と表側面の漆模様との干渉が問題となる。ここで、漆は物理変化や化学変化に強いことから、はがれや変色を抑えることができる。また、防水性能がそれほど高くない時計に関しても、時計内部に水分が侵入した際、当該水分のために文字盤の表側面において漆模様を構成する被膜が剥離することや、さらに夏場のような高温下に配された際、さらに太陽光や紫外線を受けた際、文字盤の表側面において当該被膜の剥離や変色を有効に防止できる。
【００２０】
＜文字盤とムーブメントの関係＞
本形態のスケルトン時計では、文字盤の裏側面はムーブメントに対向している。文字盤の裏側面に漆塗りが施されている場合、ムーブメント（例えば、ムーブメントに使用されている潤滑油など）との干渉が考えられるが、前記と同様、漆は物理変化や化学変化に強いことから、はがれや変色を抑えることができる。
【００２１】
＜文字盤と裏カバーの関係＞
本形態のスケルトン時計では、文字盤と裏カバーは、ムーブメントを介して設置されている。裏カバーの外側からムーブメントの隙間を通して、文字盤の裏側に付された漆模様の少なくとも一部が視認できる。さらに、文字盤が透明または半透明である場合には、透明な裏カバーの外側から文字盤の表側面に施された漆模様のすべてまたは一部が視認できる。
【００２２】
＜ムーブメントと裏カバーの関係＞
本形態のスケルトン時計では、ムーブメントは、裏カバーとの間に、実質的に遮蔽する部材を介在せず、時計内部に設置されている。透明性を有する裏カバーの内側面に漆塗りが施されている場合には、裏カバーの外側から漆模様が視認されるとともに、ムーブメントの少なくとも一部が視認できる。
【００２３】
実施例
以下に本考案のスケルトン時計にかかる実施例を示す。本考案の実施例で用いられるのはあくまで例であり、本考案の範囲に入るものであれば、特に限定されない。
【００２４】
実施例１  漆塗料を文字盤の表側面および裏側面に施した懐中時計
【００２５】
図３は本考案にかかる懐中時計の正面図である。図３に示すように、懐中時計の文字盤の表側面の全体が漆系材料によって模様付けされている。文字盤の表側面周囲には、漆塗りの特殊な螺鈿技法（切貝、切金、金粉）による宝相華唐草の模様を施し、文字盤の表側面中央には、漆塗り、研出蒔絵の特殊な技法で蝶が２匹描かれている。図４は図３の懐中時計の背面図である。図４に示すように、懐中時計の文字盤の裏側面も使用者から視認できる範囲が漆系材料によって模様付けされている。文字盤の裏側面中央には、漆塗りの特殊な螺鈿技法と蒔絵を用いて、蜘蛛の巣と垂れ下がる蜘蛛が一匹描かれている。こうして、裏カバーの外側より、ムーブメントの隙間から文字盤の裏側に描かれた絵を眺めることができる。これは、通常使用される表側からは蝶しか見えないが、裏を返すとその蝶を狙う蜘蛛がいるというストーリー（陰と陽のような対照関係）を持たせたデザインである。このように、本考案では表と裏に模様を付すことにより、表裏で関連のあるテーマを持たせた図柄を行うことができる。このような関係以外にも、植物と動物、太陽と月、生物の成体と幼体、東洋文字と西洋文字など、対応する図柄を設けることにより、ストーリー性を与えることができる。
【００２６】
以上述べたように、本考案ではスケルトン時計のムーブメントに対向する面（文字盤の裏側面および／または裏カバーの内側面）に漆塗りを施すことによって、物理変化および化学変化に対して強い模様を与えることができる。特に、懐中時計にあっては通常使用において表側および裏側ともに使用者に視認されるので、両面に装飾を施すことによって美観を高めることができる。
【図１】
0003192775.tif 000003
【図２】
0003192775.tif 000004
【図３】
0003192775.tif 000005
【図４】
0003192775.tif 000006
【手続補正書】
【提出日】平成26年7月7日(2014.7.7)
【手続補正１】
【補正対象書類名】図面
【補正対象項目名】図３
【補正方法】変更
【補正の内容】
【図３】
0003192775.tif 000007